(57)【要約】本発明により開示されたモノのインターネット情報システムは、モノのインターネット伝送技術分野に属する。本発明は、対象プラットフォームと、センシングネットワークプラットフォームと、事業者管理プラットフォームとを含み、対象プラットフォームと事業者管理プラットフォームとの間でセンシングネットワークプラットフォームを介して通信プロトコルが設定され、前記対象プラットフォームは、感知情報システムと制御情報システムとを含み、感知情報システムは、対象プラットフォームにおける感知情報を取得し、制御情報システムは、制御情報に基づいて対象を制御し、前記センシングネットワークプラットフォームは、感知情報通信システムと制御情報通信システムとを含み、事業者管理プラットフォームは、感知情報管理システムと制御情報管理システムとを含む。本発明によるモノのインターネット情報システムは、構成が簡単であり、伝送が多様化であり、各種のモノのインターネット応用システムに適用でき、幅広く適用される。【選択図】図１
2018537777.tif 000002
【特許請求の範囲】
【請求項１】
対象プラットフォームと、センシングネットワークプラットフォームと、事業者管理プラットフォームとを含み、
対象プラットフォームと事業者管理プラットフォームとの間でセンシングネットワークプラットフォームを介して通信プロトコルが設定され、
前記対象プラットフォームは、感知情報システムと制御情報システムとを含み、
感知情報システムは、対象プラットフォームにおける感知情報を取得し、
制御情報システムは、制御情報に基づいて対象を制御し、
前記センシングネットワークプラットフォームは、感知情報通信システムと制御情報通信システムとを含み、
事業者管理プラットフォームは、感知情報管理システムと制御情報管理システムとを含む
ことを特徴とするモノのインターネット情報システム。
【請求項２】
さらにサービスプラットフォームを含み、
事業者管理プラットフォームとサービスプラットフォームとの間で公衆ネットワークを介して通信プロトコルが設定されている
ことを特徴とする請求項１に記載のモノのインターネット情報システム。
【請求項３】
前記サービスプラットフォームは、事業者感知サービスシステムと、事業者制御サービスシステムと、政府感知サービスシステムと、社会公衆感知サービスシステムとを含むことを特徴とする請求項２に記載のモノのインターネット情報システム。
【請求項４】
さらにユーザプラットフォームを含み、
前記サービスプラットフォームとユーザプラットフォームとの間で通信プロトコルが設定されている
ことを特徴とする請求項２又は３に記載のモノのインターネット情報システム。
【請求項５】
前記ユーザプラットフォームはユーザシステムを含むことを特徴とする請求項４に記載のモノのインターネット情報システム。
【請求項６】
対象プラットフォームにおける感知情報システムと制御情報システムとの間で通信プロトコルが設定され、
感知情報システムが情報を取得して直接に制御情報システムに伝送することによって、対象プラットフォームによる情報に対する自動処理及び応答を実現する
ことを特徴とする請求項１に記載のモノのインターネット情報システム。
【請求項７】
対象プラットフォームにおける感知情報システムは、情報を取得して、センシングネットワークプラットフォームにおける感知情報通信システムを介して事業者管理プラットフォームにおける感知情報管理システムに伝送し、感知情報管理システムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現することを特徴とする請求項１に記載のモノのインターネット情報システム。
【請求項８】
対象プラットフォームにおける感知情報システムは、情報を取得して、センシングネットワークプラットフォームにおける感知情報通信システムを介して事業者管理プラットフォームにおける感知情報管理システムに伝送し、
感知情報管理システムは、情報をサービスプラットフォームにおける事業者感知サービスシステムに伝送する
ことを特徴とする請求項５に記載のモノのインターネット情報システム。
【請求項９】
事業者感知サービスシステムは、情報をユーザプラットフォームにおけるユーザシステムに伝送し、ユーザシステムは、情報をサービスプラットフォームにおける事業者制御サービスシステムに伝送し、事業者制御サービスシステムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現することを特徴とする請求項８に記載のモノのインターネット情報システム。
【請求項１０】
サービスプラットフォームにおける政府感知サービスシステム及び／又は社会公衆感知サービスシステムは、公衆情報を取得して、ユーザプラットフォームにおけるユーザシステムに伝送し、ユーザシステムは、公衆情報に対して分析処理を行い、制御情報に変換してから、サービスプラットフォームにおける事業者制御サービスシステムに伝送し、事業者制御サービスシステムは、制御情報を制御情報管理システムに伝送し、制御情報管理システムは、センシングネットワークプラットフォームにおける制御情報通信システムを介して制御情報を対象プラットフォームにおける制御情報システムに伝送することによって、対象に対する制御を実現することを特徴とする請求項５に記載のモノのインターネット情報システム。
【請求項１１】
前記情報は、感知情報と制御情報とを含み、
感知情報は、感知情報システムから制御情報システムへ伝送される間に、制御情報に変換されることを特徴とする請求項５から９のいずれかの一項に記載のモノのインターネット情報システム。
【請求項１２】
前記公衆情報は、公衆感知情報を含み、
公衆感知情報は、サービスプラットフォームにおける政府感知サービスシステム及び／又は社会公衆感知サービスシステムから対象プラットフォームにおける制御情報システムへ伝送される間に、制御情報に変換されることを特徴とする請求項１０に記載のモノのインターネット情報システム。
【発明の詳細な説明】
【技術分野】
【０００１】
本発明は、モノのインターネット伝送技術に関し、特にモノのインターネット情報システムに関する。
【背景技術】
【０００２】
モノのインターネットは、新世代の情報技術の重要な構成要素となり、「情報化」時代の重要な発展段階ともなる。その英文名称は、「Ｉｎｔｅｒｎｅｔ ｏｆ ｔｈｉｎｇｓ（ＩＯＴ）」である。現在、モノのインターネットは、物を繋げるインターネットであり、インターネットの拡張であるという認識が一般的になっている。モノのインターネットには、以下の２つの意味が含まれる。１、モノのインターネットは、その核心及び土台が依然としてインターネットであり、インターネットを土台として延長し拡張したものである。２、ユーザ端末は、あらゆる物と物の間に介在し、情報のやり取り及び通信を行い、即ち、物と物との繋がりが実現された。
【０００３】
モノのインターネットの構成は、今最も使われているのが３層構成であり、感知制御層と、ネット伝送層と、アプリケーションサービス層との３層に分けられている。
【０００４】
分析により、従来の参照モデルに含まれる構成は、いずれもモノのインターネット製品の機能構成である。機能により分類すると、異なる構成となるし、国家、業界、組織のそれぞれによって異なる構成となる可能性もある。モノのインターネット製品の機能構成が実質的にモノのインターネット情報の機能を表すものであり、モノのインターネット情報システムの共通特徴は提供されなかった。
【０００５】
中国国家知識産権局により、２０１２年１１月０７日に、公開番号がＣＮ１０２７６９６３５Ａであり、名称が「モノのインターネットシステム及びその実現方法」である発明は開示された。該発明は、感知制御層と、伝送層と、アプリケーション層とを含む。その実現方法は、ユーザがユーザＩＤでモノのインターネットプラウザを介してモノのインターネットシステムにログインし、アドレスバーにモノのインターネットシステムが管理する１つの感知制御コンポーネントの登録ドメイン名を入力するステップと、ドメインネームサーバにより上記登録ドメイン名を解析し、モノのインターネットプラウザに感知制御コンポーネントに対応するモノのページを読み込むステップと、モノのインターネットプラウザがモノのページに対応する要素に基づき、クアンタムピースサーバから対応するクアンタムオブジェクトを読み込むステップと、感知情報を、感知モジュールによりリアルタイムで取得し、伝送層を介してモノのインターネットプラウザに送信するステップと、モノのインターネットプラウザが各クアンタムオブジェクトで前記感知情報を処理するステップと、モノのインターネットプラウザにおいてクアンタムオブジェクトにより処理後の感知情報をリアルタイムで表示するステップとを含む。
【０００６】
上記により、各分野に幅広く適用されるモノのインターネットは、主に感知層と、伝送層と、アプリケーション層とからなるものである。情報伝送には、従来のモノのインターネット構成による情報の伝送ルートが単一であり、限界性が大きく、安全性が低く、且つユーザによる操作対象に対する制御及び管理に役立たない問題があるため、従来のモノのインターネット情報の伝送方法に対して研究及び改善を行う必要がある。
【発明の概要】
【０００７】
上記の従来技術における欠点及び不足を克服するために、本発明は、従来技術におけるモノのインターネット情報伝送の限界性が大きく、伝送ルートが単一であり、且つ情報伝送の各段階において情報感知及び情報制御に対して効果的に管理することが困難などの技術問題を解決することを目的とするモノのインターネット情報システムを提供する。
【０００８】
本発明は、以下の技術案により、上記の従来技術における欠点及び問題を解決することを図る。
【０００９】
モノのインターネット情報システムは、対象プラットフォームと、センシングネットワークプラットフォームと、事業者管理プラットフォームとを含み、対象プラットフォームと事業者管理プラットフォームとの間でセンシングネットワークプラットフォームを介して通信プロトコルが設定され、前記対象プラットフォームは、感知情報システムと制御情報システムとを含み、感知情報システムは、対象プラットフォームにおける感知情報を取得し、制御情報システムは、制御情報に基づいて対象を制御し、前記センシングネットワークプラットフォームは、感知情報通信システムと制御情報通信システムとを含み、事業者管理プラットフォームは、感知情報管理システムと制御情報管理システムとを含むことを特徴とする。
【００１０】
モノのインターネット情報システムは、さらにサービスプラットフォームを含み、事業者管理プラットフォームとサービスプラットフォームとの間で公衆ネットワークを介して通信プロトコルが設定されている。
前記サービスプラットフォームは、事業者感知サービスシステムと、事業者制御サービスシステムと、政府感知サービスシステムと、社会公衆感知サービスシステムとを含む。
【００１１】
モノのインターネット情報システムは、さらにユーザプラットフォームを含み、前記サービスプラットフォームとユーザプラットフォームとの間で通信プロトコルが設定されている。
【００１２】
前記ユーザプラットフォームは、ユーザシステムを含む。
【００１３】
以下はモノのインターネット情報システムの幾つの情報伝送の形態である。
【００１４】
（１）対象プラットフォームにおける感知情報システムと制御情報システムとの間で通信プロトコルが設定され、感知情報システムが情報を取得して直接に制御情報システムに伝送することによって、対象プラットフォームによる情報に対する自動処理及び応答を実現する。
【００１５】
（２）対象プラットフォームにおける感知情報システムは、情報を取得して、センシングネットワークプラットフォームにおける感知情報通信システムを介して事業者管理プラットフォームにおける感知情報管理システムに伝送し、感知情報管理システムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現する。
【００１６】
（３）対象プラットフォームにおける感知情報システムは、情報を取得して、センシングネットワークプラットフォームにおける感知情報通信システムを介して事業者管理プラットフォームにおける感知情報管理システムに伝送し、感知情報管理システムは、情報をサービスプラットフォームにおける事業者感知サービスシステムに伝送する。
【００１７】
（４）事業者感知サービスシステムは、情報をユーザプラットフォームにおけるユーザシステムに伝送し、ユーザシステムは、情報をサービスプラットフォームのユーザプラットフォームのユーザシステムに伝送し、ユーザシステムは、情報をサービスプラットフォームにおける事業者制御サービスシステムに伝送し、事業者制御サービスシステムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現する。
【００１８】
（５）サービスプラットフォームにおける政府感知サービスシステム及び／又は社会公衆感知サービスシステムは、公衆情報を取得して、ユーザプラットフォームにおけるユーザシステムに伝送し、ユーザシステムは、公衆情報に対して分析処理を行い、制御情報に変換してから、サービスプラットフォームにおける事業者制御サービスシステムに伝送し、事業者制御サービスシステムは、制御情報を制御情報管理システムに伝送し、制御情報管理システムは、センシングネットワークプラットフォームにおける制御情報通信システムを介して制御情報を対象プラットフォームにおける制御情報システムに伝送することによって、対象に対する制御を実現する。
【００１９】
（６）事業者感知サービスシステムは、情報を政府感知サービスシステム及び／又は社会公衆感知サービスシステムに伝送し、政府感知サービスシステム及び／又は社会公衆感知サービスシステムは、情報をユーザプラットフォームにおけるユーザシステムに伝送し、ユーザシステムは、情報をサービスプラットフォームにおける公衆事業者制御サービスシステムに伝送し、公衆事業者制御サービスシステムは、情報を事業者制御サービスシステムに伝送し、事業者制御サービスシステムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現する。
【００２０】
（７）対象プラットフォームにおける感知情報システムは、情報を取得して、センシングネットワークプラットフォームにおける感知情報通信システムを介して事業者管理プラットフォームにおける感知情報管理システムに伝送し、感知情報管理システムは、情報をサービスプラットフォームにおける事業者感知サービスシステムに伝送し、事業者感知サービスシステムは、情報をユーザプラットフォームにおけるユーザシステムに伝送し、ユーザシステムは、情報をサービスプラットフォームにおける公衆事業者制御サービスシステムに伝送し、公衆事業者制御サービスシステムは、情報を事業者制御サービスシステムに伝送し、事業者制御サービスシステムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現する。
【００２１】
（８）対象プラットフォームにおける感知情報システムは、情報を取得して、センシングネットワークプラットフォームにおける感知情報通信システムを介して事業者管理プラットフォームにおける感知情報管理システムに伝送し、感知情報管理システムは、情報をサービスプラットフォームにおける事業者感知サービスシステムに伝送し、事業者感知サービスシステムは、情報をユーザプラットフォームにおけるユーザシステムに伝送し、ユーザシステムは、情報をサービスプラットフォームにおける事業者制御サービスシステムに伝送し、事業者制御サービスシステムは、情報を制御情報管理システムに伝送し、制御情報管理システムは、センシングネットワークプラットフォームにおける制御情報通信システムを介して情報を対象プラットフォームにおける制御情報システムに伝送することによって、対象に対する制御を実現する。
【００２２】
（９）サービスプラットフォームにおける政府感知サービスシステム及び／又は社会公衆感知サービスシステムは、公衆情報を取得して、ユーザプラットフォームにおけるユーザシステムに伝送し、ユーザシステムは、公衆情報をサービスプラットフォームにおける公衆事業者制御サービスシステムに伝送し、公衆事業者制御サービスシステムは、公衆情報を事業者制御サービスシステムに伝送し、事業者制御サービスシステムは、公衆情報を制御情報管理システムに伝送し、制御情報管理システムは、センシングネットワークプラットフォームにおける制御情報通信システムを介して公衆情報を対象プラットフォームにおける制御情報システムに伝送することによって、対象に対する制御を実現する。
【００２３】
（１０）サービスプラットフォームにおける政府感知サービスシステム及び／又は社会公衆感知サービスシステムは、公衆情報を取得して、公衆事業者制御サービスシステムに伝送し、公衆事業者制御サービスシステムは、公衆情報を事業者制御サービスシステムに伝送し、事業者制御サービスシステムは、公衆情報を制御情報管理システムに伝送し、制御情報管理システムは、センシングネットワークプラットフォームにおける制御情報通信システムを介して公衆情報を対象プラットフォームにおける制御情報システムに伝送することによって、対象に対する制御を実現する。
【００２４】
感知情報管理システムは、伝送された情報に対して記憶、特定及び解析を行う。
【００２５】
制御情報管理システムは、伝送された情報に対して記憶、特定及び解析を行う。
【００２６】
公衆事業者制御サービスシステムは、伝送された情報に対して記憶、特定及び解析を行う。
【００２７】
公衆事業者制御サービスシステムは、伝送された公衆情報に対して記憶、特定及び解析を行う。
【００２８】
ユーザシステムは、受信した情報又は公衆情報に対して記憶及び分析を行う。
【００２９】
前記情報は、感知情報と制御情報とを含み、感知情報は、感知情報システムから制御情報システムへ伝送される間に、制御情報に変換される。
【００３０】
前記公衆情報は、公衆感知情報を含み、公衆感知情報は、サービスプラットフォームにおける政府感知サービスシステム及び／又は社会公衆感知サービスシステムから対象プラットフォームにおける制御情報システムへ伝送される間に、制御情報に変換される。
【００３１】
感知情報は、少なくともセンサーで収集された情報、タグ情報、オーディオ情報、映像情報、位置情報、スマート設備インターフェース情報のいずれか一種又は数種を含んでいる。
【００３２】
公衆感知情報は、少なくともセンサーで収集された情報、タグ情報、オーディオ情報、映像情報、位置情報、スマート設備インターフェースのいずれか一種又は数種を含んでいる。
【００３３】
従来技術と比べ、本発明による有益な技術的効果は以下のようなことがある。
【００３４】
１、現在のインターネットは、実質的に電子情報伝送網であり、従来のモノのインターネットに関わる製品は、モノ＋インターネットからなり、モノのインターネットを表す一形態である。本発明者は、モノのインターネットの製品機能に制限されていた従来の常識を破って、モノのインターネットが実在するものである世界観に基づくモノのインターネット情報システムを初めて提出した。全システムにおける感知情報及び制御情報の伝送形態はクローズドループになるので、モノのインターネットにおける情報の伝送ルートがより明確になり、複数のノードによる伝送により、情報が改竄されるリスクもさらに低減した。そして、感知情報と制御情報とは、異なる２つの伝送ルートをそれぞれ経由して対象プラットフォームとユーザプラットフォームとの間で逆伝送されているので、伝送中の感知情報と制御情報との衝突が避けられた。また、本発明によるモノのインターネット情報伝送システムは、構成が簡単であり、伝送が多様化であり、各種のモノのインターネット応用システムに適用でき、幅広く適用される。
【００３５】
２、本発明は、さらにサービスプラットフォームを含む。本発明においてサービスプラットフォームを設けるのは、公衆ネットワークに繋げて公衆ネットワークから公衆情報を取得するためである。サービスプラットフォームは、公衆ネットワークにおける公衆情報を取得し、公衆情報に基づいて対象に対する制御を実現することができる。また、モノのインターネットにおける事業者情報の一部がサービスプラットフォームを介して外部に開示、共有されることができるので、資源を効率的に利用することを実現した。
３、本発明は、事業者管理プラットフォームを含むので、事業者による対象プラットフォームに対する制御が実現できるとともに、事業者と対象との間の情報のやり取りが実現でき、情報伝送中の安全性と確実性を向上させた。
【図面の簡単な説明】
【００３６】
本発明の実施例による技術案をより明確に説明するために、以下、実施例において用いられる図面を簡単に説明する。以下の図面は、本発明の幾つかの実施例を示すものに過ぎず、保護範囲を限定するものではないと理解すべきである。当業者にとって、創造的な労働をしなくても、これらの図面に基づいてその他の関係図面を取得することができる。
【図１】本発明によるモノのインターネット情報システムのシステム構造を示す図である。
【発明を実施するための形態】
【００３７】
本発明の実施例の目的、技術案及び利点をより明確にするため、以下、図面を参照しながら本発明の実施例における技術案を明確かつ完全に説明する。説明される実施例は、本発明の実施例の一部に過ぎず、すべての実施例ではないことは無論である。
【００３８】
実施例１
図１を参照しながら本発明の好ましい実施例を説明する。
【００３９】
本実施例によるモノのインターネット情報システムにおいて、対象プラットフォームにおける感知情報システムと制御情報システムとの間で通信プロトコルが設定され、感知情報システムが情報を取得して直接制御情報システムに伝送するので、対象プラットフォームによる情報に対する自動処理及び応答を実現した。感知情報システムは、感知情報を取得し、該感知情報に対して記憶、特定及び解析等の処理を行ってから、対象プラットフォームにおける制御情報システムに伝送する。制御情報システムは、伝送された感知情報を制御情報に変換し、制御情報に基づいて対象を制御する。対象プラットフォームは、斯かる方式により、自身に対する自動制御を実現した。
【００４０】
実施例２
図１を参照しながら本発明の好ましい実施例を説明する。
【００４１】
本実施例によるモノのインターネット情報システムにおいて、対象プラットフォームにおける感知情報システムは、対象の情報を取得して、センシングネットワークプラットフォームにおける感知情報通信システムを介して事業者管理プラットフォームにおける感知情報管理システムに伝送する。感知情報管理システムは、該情報に対して記憶、特定及び解析等の処理を行ってから、制御情報管理システムに伝送する。制御情報管理システムは、処理後の情報を制御情報に変換し、変換された制御情報をセンシングネットワークプラットフォームの制御情報通信システムを介して対象プラットフォームの制御情報システムに伝送する。制御情報システムは、受信した制御情報命令に基づいて対象を制御する。
【００４２】
本実施例において、感知情報は、位置情報、タグ情報、オーディオ情報、スマート設備インターフェース情報のいずれか１つであってもよく、上記複数の情報の組み合わせであってもよい。
【００４３】
実施例３
本実施例において、モノのインターネット情報システムは、ユーザシステムを備えるユーザプラットフォームをさらに含む。本実施例において、対象プラットフォームにおける感知情報システムは、対象を感知して感知情報を取得し、感知情報通信システムを介して事業者管理プラットフォームにおける感知情報管理システムに伝送する。感知情報管理システムは、伝送された感知情報に対して記憶、特定及び解析等の処理を行ってから、サービスプラットフォームにおける事業者感知サービスシステムに伝送する。事業者感知サービスシステムは、感知情報をユーザプラットフォームにおけるユーザシステムに伝送する。ユーザシステムは、伝送された感知情報を分析して対応する制御情報に変換し、変換された制御情報を公衆事業者制御サービスシステムに伝送する。事業者制御サービスシステムは、制御情報を制御情報管理システムに伝送する。制御情報管理システムは、制御情報に対して記憶、特定及び解析を行ってから、対象プラットフォームにおける制御情報システムに伝送する。それによって、対象に対する制御を実現した。
【００４４】
本実施例において、感知情報は、センサーで収集された情報、タグ情報、オーディオ情報、映像情報のいずれか１つであってもよく、上記複数の情報の組み合わせであってもよい。
【００４５】
実施例４
本実施例において、サービスプラットフォームにおける政府感知サービスシステム及び／又は社会公衆感知サービスシステムは、公衆ネットワークを介して公衆情報を取得して、ユーザシステムに伝送する。ユーザシステムは、受信した公衆情報を分析し、対応する制御情報に変換してから、サービスプラットフォームにおける事業者制御サービスシステムに伝送する。事業者制御サービスシステムは、制御情報を記憶するとともに、制御情報管理システムに伝送する。制御情報管理システムは、制御情報に対して記憶、特定及び解析を行ってから、対象プラットフォームにおける制御情報システムに伝送する。それによって、対象に対する制御を実現した。
【００４６】
本実施例において、公衆情報は、価格情報、タグ情報、位置情報等であってもよい。
【００４７】
本実施例において、政府感知サービスシステム及び／又は社会公衆感知サービスシステムは、公衆ネットワークを介して価格情報を取得して、ユーザシステムにフィードバックする。ユーザシステムは、価格情報を記憶及び登録するとともに制御対象の価格調整命令に変換してから、事業者制御サービスシステムに伝送する。事業者制御サービスシステムは、価格調整指令を記憶及び特定してから、該情報を制御情報管理システムに送信する。事業者管理プラットフォームは、該価格調整指令情報を取得、登録及び記憶してから、対象プラットフォームにおける制御情報システムに伝送する。それによって、対象に対する価格調整を実現した。本実施例において、制御情報は、公衆感知情報又は感知情報に対応する制御指令情報である。
【００４８】
上記実施例は、本発明の好ましい実施形態に過ぎず、本発明の実施形態を限定するものではない。本発明の主旨及び原理を逸脱しない範囲での変更、修飾、代替、組合せ、簡易化は、すべて均等の置換形態とみなされべき、本発明の保護範囲に属する。
【図１】
2018537777.tif 000003
【国際調査報告】
2018537777.tif 000004
2018537777.tif 000005
2018537777.tif 000006
2018537777.tif 000007